(57)【要約】【課題】  吸引機能付アイロンであって、特にアイロン台を不要とし、衣類等を吊り下げた状態で衣類等にアイロンがけができる吸引機能付アイロンを提供する。【解決手段】  ヒーター収納部内のヒーターによって加熱される熱伝導ベースに複数の吸引孔を設け、該吸引孔がそれぞれアイロン本体内に設けられた複数の吸引管に当接されており、モーターの駆動で回転するフアンによって吸引された空気がアイロン本体より外方に放出されるように構成されたことを特徴とし、熱伝導ベースをヒーター収納部に対して着脱自在とし、且つ、ヒーター収納部に対して着脱自在の複数の熱伝導ベースの布地への当接面の構造を使用対象の布地に応じて異なる構造の当接面とした吸引機能付アイロン。【選択図】  図１
2005152567.tif 000002
【特許請求の範囲】
【請求項１】
ヒーター収納部内のヒーターによって加熱される熱伝導ベースに複数の吸引孔を設け、該吸引孔がそれぞれアイロン本体内に設けられた複数の吸引管に当接されており、モーターの駆動で回転するフアンによって吸引された空気がアイロン本体より外方へ放出されるように構成されたことを特徴とする吸引機能付アイロン。
【請求項２】
熱伝導ベースをヒーター収納部に対して着脱自在としたことを特徴とする請求項１記載の吸引機能付アイロン。
【請求項３】
ヒーター収納部に対して着脱自在の複数の熱伝導ベースの布地への当接面の構造が使用対象の布地に応じて異なる構造の当接面としたことを特徴とする請求項１記載の吸引機能付アイロン。
【発明の詳細な説明】
【技術分野】
【０００１】  本発明は吸引機能付アイロンに関し、特にアイロン台を不要とし、衣類等を吊り下げた状態で衣類等にアイロンをかけることのできる吸引機能付アイロンに関する。
【背景技術】
【０００２】  一般的に、家庭又は業務用に使用されるアイロンは、いずれもアイロン台を必要とし、アイロン台に種々の工夫が施されており、例えば、アイロンから噴出するスチームを吸引してしわ伸ばし効果を高めるアイロン装置が公開されている。【０００３】  ところで、この種のアイロン装置においては、アイロン台に吸引装置を取り付けるものであって、装置が大型化するので作業性が悪く、衣類等に迅速且つ容易にアイロンがけをすることができなかった。【０００４】
【特許文献１】          特開平５−２００１９９号公報
【発明の開示】
【発明が解決しようとする課題】
【０００５】  上述したようにアイロン台に吸引装置を設置するものでは、装置が大型化して作業性が悪く、迅速且つ容易に衣類等にアイロンがけすることができなかったが、特に家庭などでは、不意に外出する時に、衣類等に急遽アイロンがけをする必要を生じることが実際に度々経験することがあった。【０００６】  本発明はこのような事情に鑑みてなされたものであり、特に家庭などでは、不意に外出する時に、衣類等に急遽アイロンがけをする必要を生じても、迅速且つ容易に衣類等にアイロンがけをすることのできる吸引機能付アイロンを提供することを目的とするものである。
【課題を解決するための手段】
【０００７】  このような目的に応えるために創案された本発明は、ヒーター収納部内のヒーターによって加熱される熱伝導ベースに複数の吸引孔を設け、該吸引孔がそれぞれアイロン本体内に設けられた複数の吸引管に当接されており、モーターの駆動で回転するフアンによって吸引された空気がアイロン本体より外方へ放出されるように構成されており、また、熱伝導ベースをヒーター収納部に対して着脱自在とし、且つ、ヒーター収納部に対して着脱自在の複数の熱伝導ベースの布地への当接面の構造を、使用対象の布地に応じて異なる構造の当接面としたことを特徴とする吸引機能付アイロンを提供するものである。
【発明の効果】
【０００８】
【０００９】  以上説明したように本発明に係る吸引機能付アイロンによれば、衣類等を吊り下げた状態でアイロンがけができるものであって、衣類等に応じた熱伝導ベースを用いて、布地のしわを伸ばしたり、或いは布地にしわをつけたりすることができ、又は帽子等のように局面を有する対象物に対してもアイロンがけが可能なものである。
【発明を実施するための最良の形態】
【００１０】  以下、図面に基づいて、本発明を実施するための最良の形態を具体的に説明する。
図面に於いて、図１は本発明に係る吸引機能付アイロンを部分断面とした側面図、図２は本発明に係る吸引機能付アイロンの熱伝導ベースの斜視図、図３は本発明に係る吸引機能付アイロンの熱伝導ベースの他の実施例を示す斜視図、図４は本発明に係る吸引機能付アイロンの熱伝導ベースの他の実施例を示す斜視図である。【００１１】  図１に示すように、ヒーター収納部３内のヒーター（図示せず）によって加熱される熱伝導ベース２に複数の吸引孔２１，・・・２１を設け、該吸引孔２１、・・・２１がそれぞれアイロン本体８内に設けられた複数の吸引管４に当接されており、モーター５の駆動で回転するフアン６によって吸引された空気がアイロン本体８より外方へ放出されるように構成されている。【００１２】  したがって、図１中、矢印で示すように布地１を通して空気が吸引されるので、この吸引力によって布地１は熱伝導ベース２の当接面に吸い寄せられ、その状態でアイロン本体８を下方へ移動させてゆけば、衣類等を吊り下げた状態でアイロンがけが可能となる。【００１３】  電源用コード１１からの電源がオン状態の時は安全の為に表示部１０が点灯しており、アイロン本体８を直立させる為の直立用ベース１２がアイロン本体８の後部に設けられている。また、使用対象となる布地１の状態によって吸引力を調整する必要があるので、調整ダイアル９によって調整される調整回路（図示せず）と配線７を経て、モーター５が駆動され、吸引力が調整される。【００１４】  熱伝導ベース２はヒーター収納部３に対して、該熱伝導ベース２と一体的に形成されている嵌着部２２を嵌着させることにより着脱自在に構成されており、且つ、ヒーター収納部３に対して着脱自在の複数の熱伝導ベース２、・・２の布地１への当接面２３の構造を使用対象の布地１の状態に応じて異なる構造の当接面２３、・・２３とすることも本発明の吸引機能付アイロンの特徴のひとつである。【００１５】  例えば、図２に示す熱伝導ベース２の当接面２３は平坦であり、布地１のしわを伸ばすのに使用され、図３に示す熱伝導ベース２の当接面２３の形状は局面に形成されているので、使用対象となる布地の状態が帽子などのように局面である場合などに好適に使用することがでる。【００１６】  更に、図４に示す熱伝導ベース２の当接面２３は波状に形成されており、この場合は図２の熱伝導ベース２の場合と異なり、しわを取るのではなく、逆に布地１をアコーディオンプリーツ状にアイロンがけで形成させることも可能である。【００１７】  したがって、以上の構成による本発明の吸引機能付アイロンによれば、熱伝導ベース２の形状を任意に形成してヒーター加熱部３に着脱自在にすれば、使用者の好みに合わせたアイロンがけができるものである。
【図面の簡単な説明】
【００１８】
【図１】  本発明に係る吸引機能付アイロンを部分断面とした側面図である。
【図２】  本発明に係る吸引機能付アイロンの熱伝導ベースの斜視図である。
【図３】  本発明に係る吸引機能付アイロンの熱伝導ベースの他の実施例を示す斜視図である。
【図４】  本発明に係る吸引機能付アイロンの熱伝導ベースの他の実施例を示す斜視図である。
【符号の説明】
【００１９】  １．  布地
２．  熱伝導ベース
３．  ヒーター収納部
４．  吸引管
５．  モーター
６．  フアン
７．  配線
８．  アイロン本体
９．  調整ダイアル
１０．  表示部
１１．  電源用コード
１２．  直立用ベース
２１．  吸引孔
２２．  嵌着部
２３．  当接面
【図１】
2005152567.tif 000003
【図２】
2005152567.tif 000004
【図３】
2005152567.tif 000005
【図４】
2005152567.tif 000006